(57)【要約】【課題】端子収容室内における端子のガタつきを防止し、異音の発生を防止することができるコネクタを提供する。【解決手段】端子収容室３を有するハウジング５と、端子収容室３に収容される端子７と、ハウジング５に組付けられ端子収容室３から端子７が離脱することを防止するカバー９とを備えたコネクタ１において、端子７に、弾性変形可能なガタ詰めバネ１１を設け、カバー９に、カバー９がハウジング５に組付けられた状態でガタ詰めバネ１１と当接して端子７を端子収容室３の挿入方向に押圧し端子収容室３に対する端子７の挿抜方向のガタを詰めるガタ詰めリブ１３を設けた。【選択図】図５
2019053841.tif 000002
【特許請求の範囲】
【請求項１】
端子収容室を有するハウジングと、
前記端子収容室に収容される端子と、
前記ハウジングに組付けられ前記端子収容室から前記端子が離脱することを防止するカバーと、
前記端子に設けられ弾性変形可能なガタ詰めバネと、
前記カバーに設けられ前記カバーが前記ハウジングに組付けられた状態で前記ガタ詰めバネと当接して前記端子を前記端子収容室の挿入方向に押圧し前記端子収容室に対する前記端子の挿抜方向のガタを詰めるガタ詰めリブと、
を有することを特徴とするコネクタ。
【請求項２】
請求項１記載のコネクタであって、
前記端子収容室には、前記端子収容室に対して前記端子が正規に配置された状態で前記端子に係止される係止部が設けられていることを特徴とするコネクタ。
【請求項３】
請求項１又は２記載のコネクタであって、
前記カバーは、前記ハウジングにヒンジを介して一体に設けられていることを特徴とするコネクタ。
【発明の詳細な説明】
【技術分野】
【０００１】
本発明は、コネクタに関する。詳細には、ハウジングに組付けられるカバーを有するコネクタに関する。
【背景技術】
【０００２】
従来、コネクタとしては、端子収容室を有するハウジングと、端子収容室に収容される端子と、ハウジングに組付けられ端子収容室から端子が離脱することを防止するカバーとを備えたものが知られている（例えば、特許文献１参照）。
【０００３】
このコネクタでは、端子が電線の端末部に接続され、端子を端子収容室に収容することによりハウジングから電線が引き出される。
【０００４】
このハウジングの電線の引出方向にカバーを組付けることにより、カバーによって電線を保護することができると共に、端子収容室から端子が離脱することを防止することができる。
【先行技術文献】
【特許文献】
【０００５】
【特許文献１】特開２０１２−５４２０６号公報
【発明の概要】
【発明が解決しようとする課題】
【０００６】
しかしながら、上記特許文献１のようなコネクタでは、端子収容室内において、端子の挿抜方向にクリアランスが形成されており、車両の走行などの振動によって、端子がガタつき、異音が発生する恐れがあった。
【０００７】
そこで、この発明は、端子収容室内における端子のガタつきを防止し、異音の発生を防止することができるコネクタの提供を目的としている。
【課題を解決するための手段】
【０００８】
請求項１記載の発明は、端子収容室を有するハウジングと、前記端子収容室に収容される端子と、前記ハウジングに組付けられ前記端子収容室から前記端子が離脱することを防止するカバーと、前記端子に設けられ弾性変形可能なガタ詰めバネと、前記カバーに設けられ前記カバーが前記ハウジングに組付けられた状態で前記ガタ詰めバネと当接して前記端子を前記端子収容室の挿入方向に押圧し前記端子収容室に対する前記端子の挿抜方向のガタを詰めるガタ詰めリブとを有することを特徴とするコネクタである。
【０００９】
このコネクタでは、カバーに、カバーがハウジングに組付けられた状態でガタ詰めバネと当接して端子を端子収容室の挿入方向に押圧し端子収容室に対する端子の挿抜方向のガタを詰めるガタ詰めリブが設けられている。
【００１０】
このため、カバーがハウジングに組付けられた状態では、端子収容室内において、端子が挿抜方向にガタつくことがなく、車両の走行などの振動によって、端子のガタつきに起因する異音の発生を防止することができる。
【００１１】
従って、このようなコネクタでは、端子収容室内における端子のガタつきを防止し、異音の発生を防止することができる。
【００１２】
請求項２記載の発明は、請求項１記載のコネクタであって、前記端子収容室には、前記端子収容室に対して前記端子が正規に配置された状態で前記端子に係止される係止部が設けられていることを特徴とする。
【００１３】
このコネクタでは、端子収容室に、端子収容室に対して端子が正規に配置された状態で端子に係止される係止部が設けられているので、端子収容室から端子が離脱することをさらに防止することができる。
【００１４】
加えて、端子収容室に対して端子が正規に配置されていない状態であっても、ハウジングにカバーを組付けることにより、ガタ詰めバネとガタ詰めリブとが当接し、端子を端子収容室の正規位置に配置させることができ、端子の中途挿入を防止することができる。
【００１５】
請求項３記載の発明は、請求項１又は２記載のコネクタであって、前記カバーは、前記ハウジングにヒンジを介して一体に設けられていることを特徴とする。
【００１６】
このコネクタでは、カバーが、ハウジングにヒンジを介して一体に設けられているので、ハウジングとカバーとを一体に取り扱うことができ、部品点数を低減することができる。
【発明の効果】
【００１７】
本発明によれば、端子収容室内における端子のガタつきを防止し、異音の発生を防止することができるコネクタを提供することができるという効果を奏する。
【図面の簡単な説明】
【００１８】
【図１】本発明の実施の形態に係るコネクタの分解斜視図である。
【図２】本発明の実施の形態に係るコネクタのカバーをハウジングに組付ける前の斜視図である。
【図３】本発明の実施の形態に係るコネクタのカバーをハウジングに組付けたときの斜視図である。
【図４】本発明の実施の形態に係るコネクタの側面図である。
【図５】（ａ）は図４のＸ−Ｘ断面図である。（ｂ）は図５（ａ）の要部拡大図である。
【図６】（ａ）は本発明の実施の形態に係るコネクタのハウジングにカバーを組付ける前の斜視図である。（ｂ）は図６（ａ）の要部拡大図である。
【図７】本発明の実施の形態に係るコネクタのハウジングにカバーを組付けたときの斜視図である。
【図８】（ａ）は本発明の実施の形態に係るコネクタの端子の斜視図である。（ｂ）は図８（ａ）の要部拡大図である。
【発明を実施するための形態】
【００１９】
図１〜図８を用いて本発明の実施の形態に係るコネクタについて説明する。
【００２０】
本実施の形態に係るコネクタ１は、端子収容室３を有するハウジング５と、端子収容室３に収容される端子７と、ハウジング５に組付けられ端子収容室３から端子７が離脱することを防止するカバー９とを備えている。
【００２１】
また、端子７には、弾性変形可能なガタ詰めバネ１１が設けられている。
【００２２】
そして、カバー９には、カバー９がハウジング５に組付けられた状態でガタ詰めバネ１１と当接して端子７を端子収容室３の挿入方向に押圧し端子収容室３に対する端子７の挿抜方向のガタを詰めるガタ詰めリブ１３が設けられている。
【００２３】
また、端子収容室３には、端子収容室３に対して端子７が正規に配置された状態で端子７に係止される係止部１５が設けられている。
【００２４】
さらに、カバー９は、ハウジング５にヒンジ１７を介して一体に設けられている。
【００２５】
図１〜図８に示すように、ハウジング５は、合成樹脂などの絶縁性材料からなり、Ｌ字状に形成され、嵌合部１９と、引出部２１とを備えている。
【００２６】
嵌合部１９は、直方体状に形成され、相手ハウジング（不図示）と嵌合可能となっている。
【００２７】
この嵌合部１９には、相手ハウジングとの嵌合状態を保持するロック部２３を有するロックアーム２５が撓み可能に設けられ、ロック部２３が相手ハウジングに設けられた被ロック部（不図示）と係合することにより、相手ハウジングとハウジング５との嵌合状態が保持される。
【００２８】
なお、ロックアーム２５の自由端側には、操作部２７が設けられ、操作部２７を押圧することにより、ロックアーム２５が撓まされ、ロック部２３と被ロック部との係合を解除し、相手ハウジングとハウジング５との嵌合状態を解除することができる。
【００２９】
引出部２１は、嵌合部１９の長さ方向の一側を開口するように、嵌合部１９と連続する一部材で嵌合部１９から下方に向けて延設されている。
【００３０】
この引出部２１には、嵌合部１９の内部に設けられた端子収容室３に端子７が収容された状態で、端子７に接続された電線４１が配置される。
【００３１】
このようなハウジング５は、嵌合部１９が相手ハウジングと嵌合することにより、相手ハウジングに収容された相手端子（不図示）と端子収容室３に収容された端子７とが電気的に接続される。
【００３２】
端子収容室３は、ハウジング５の嵌合部１９の内部に嵌合部１９の長さ方向に沿って形成されている。
【００３３】
この端子収容室３は、長さ方向の一端側が端子７を内部に挿入させる挿入開口２９となっており、長さ方向の他端側が内部に収容された端子７に接続される相手端子の雄型のタブ状の接続部（不図示）が挿入される接続開口３１となっている。
【００３４】
このような端子収容室３には、嵌合部１９の長さ方向の一端側の挿入開口２９から端子７が収容される。
【００３５】
端子７は、導電性材料からなる１枚の板材に対して、打ち抜き加工や折り曲げ加工などを施すことによって、電線接続部３３と、端子接続部３５とが連続する一部材でＬ字状に形成されている。
【００３６】
電線接続部３３は、被覆圧着部３７と、芯線圧着部３９とを備えている。
【００３７】
被覆圧着部３７は、一対の加締め片からなり、電源や機器などに接続された電線４１の端末部において、電線４１の被覆部を加締める。
【００３８】
この被覆圧着部３７を電線４１の被覆部に加締めることにより、端子７が電線４１に固定される。
【００３９】
芯線圧着部３９は、端子接続部３５と被覆圧着部３７との間に設けられた一対の圧着片からなり、電線４１の端末部において、電線４１の被覆部から露出された芯線部を加締めて圧着される。
【００４０】
この芯線圧着部３９を電線４１の芯線部に圧着させることにより、端子７が電線４１に電気的に接続される。
【００４１】
端子接続部３５は、底壁が電線接続部３３と連続する一部材で電線接続部３３からＬ字状に屈曲されて形成され、両側壁と上壁とを折り曲げ加工によって箱状に形成された雌型の接続部からなる。
【００４２】
この端子接続部３５の内部には、端子接続部３５と連続する一部材で自由端側に接点部４３を有する弾性片４５が、所定の付勢力を有するように弾性変形可能に設けられている。
【００４３】
このような端子接続部３５には、長さ方向の一端側に開口が設けられ、この開口から内部に相手端子のタブ状の接続部が挿入され、弾性片４５の付勢力によって接点部４３がタブ状の接続部と接触することにより、端子７と相手端子とが電気的に接続される。
【００４４】
このような箱状の端子接続部３５を有する端子７は、電線４１の端末部に電線接続部３３を介して接続された状態で、端子接続部３５が挿入開口２９から端子収容室３内に挿入され、電線接続部３３と電線４１とがハウジング５の引出部２１に配置される。
【００４５】
このように端子収容室３に収容された端子７は、端子収容室３内に設けられた係止部１５に係止されることにより、端子収容室３の挿入開口２９からの抜け止めがなされる。
【００４６】
なお、端子７の端子収容室３への挿入は、端子７の端子接続部３５の端面が端子収容室３の接続開口３１が設けられた壁部と当接することにより、端子収容室３への端子７のそれ以上の挿入が規制される。
【００４７】
係止部１５は、基端側が端子収容室３の内壁と連続する一部材で形成され、自由端側が端子収容室３の内部に向けて傾斜し接続開口３１側に配置され、端子収容室３内の幅方向に撓み可能に設けられた係止ランスからなる。
【００４８】
この係止部１５の自由端側には、係止突起４７が係止部１５と連続する一部材で端子収容室３の内部に向けて突設されている。
【００４９】
この係止突起４７は、端子収容室３の挿入開口２９から端子７が挿入されると、端子接続部３５と摺動し、係止部１５を端子収容室３の外方に向けて撓ませる。
【００５０】
この撓まされた係止部１５は、端子接続部３５が端子収容室３の正規位置に配置されると、端子収容室３の内方に向けて復元し、係止突起４７が端子接続部３５の係合孔４９に挿入される。
【００５１】
このように係止突起４７を係合孔４９に挿入することにより、係止突起４７が係合孔４９の縁部に対して端子収容室３からの端子７の離脱方向に係合可能に配置され、端子７の端子収容室３からの抜け止めを行うことができる。
【００５２】
このように端子収容室３に端子７が収容されたハウジング５には、カバー９が組付けられ、端子収容室３からの端子７の離脱が防止されると共に、電線接続部３３や電線４１が保護される。
【００５３】
カバー９は、ハウジング５の挿入開口２９や引出部２１の開口を閉塞するように、複数（ここでは３つ）の係合部５１をハウジング５の複数（ここでは３つ）の被係合部５３に係合してハウジング５に組付けられる。
【００５４】
このカバー９をハウジング５を組付けることにより、挿入開口２９からの端子７の離脱を防止することができると共に、電線接続部３３の外周や電線４１の外周を覆い、電線接続部３３や電線４１を保護することができる。
【００５５】
このようなカバー９は、ハウジング５にヒンジ１７を介して開閉可能にハウジング５と一体に設けられている。
【００５６】
このようにカバー９をハウジング５にヒンジ１７を介して一体に設けることにより、ハウジング５とカバー９とを別体で取り扱うことがなく、部品点数を低減することができる。
【００５７】
ここで、端子７の端子接続部３５には、底壁から切り起こされ、所定の付勢力を有するガタ詰めバネ１１が設けられている。
【００５８】
このガタ詰めバネ１１は、カバー９がハウジング５に組付けられた状態で、カバー９に設けられたガタ詰めリブ１３に当接される。
【００５９】
ガタ詰めリブ１３は、カバー９のハウジング５に対する閉塞面から外方に向けて突設され、カバー９をハウジング５に組付けた状態で、挿入開口２９から端子収容室３内に挿入される。
【００６０】
このガタ詰めリブ１３は、端子収容室３内に挿入された状態で、端子７のガタ詰めバネ１１と当接し、端子７を端子収容室３の挿入方向に押圧する。
【００６１】
このようなガタ詰めリブ１３による端子７の押圧により、端子７の端子接続部３５の端面が接続開口３１が設けられた壁部に当接され、端子収容室３内における端子７の挿抜方向のガタ詰めが行われる。
【００６２】
このため、ハウジング５にカバー９を組付けた状態では、ガタ詰めバネ１１とガタ詰めリブ１３との当接により、端子収容室３内で端子７が挿抜方向にガタつくことがなく、車両の走行などの振動によって、異音が発生することを防止することができる。
【００６３】
ここで、端子収容室３に端子７の端子接続部３５を挿入したときに、係止部１５の係止突起４７が端子接続部３５の係合孔４９に挿入されず、端子収容室３に対して端子７が中途挿入状態となってしまうことがある。
【００６４】
このような端子７の中途挿入状態であっても、カバー９をハウジング５に組付けることにより、ガタ詰めバネ１１とガタ詰めリブ１３とが当接し、端子７が端子収容室３への挿入方向に押圧され、端子７が端子収容室３の正規位置に配置される。
【００６５】
このガタ詰めリブ１３の押圧による端子７の移動により、係止部１５の係止突起４７を端子接続部３５の係合孔４９に挿入させることができ、端子収容室３に対する端子７の中途挿入状態を防止することができる。
【００６６】
このようなコネクタ１では、カバー９に、カバー９がハウジング５に組付けられた状態でガタ詰めバネ１１と当接して端子７を端子収容室３の挿入方向に押圧し端子収容室３に対する端子７の挿抜方向のガタを詰めるガタ詰めリブ１３が設けられている。
【００６７】
このため、カバー９がハウジング５に組付けられた状態では、端子収容室３内において、端子７が挿抜方向にガタつくことがなく、車両の走行などの振動によって、端子７のガタつきに起因する異音の発生を防止することができる。
【００６８】
従って、このようなコネクタ１では、端子収容室３内における端子７のガタつきを防止し、異音の発生を防止することができる。
【００６９】
また、端子収容室３には、端子収容室３に対して端子７が正規に配置された状態で端子７に係止される係止部１５が設けられているので、端子収容室３から端子７が離脱することをさらに防止することができる。
【００７０】
加えて、端子収容室３に対して端子７が正規に配置されていない状態であっても、ハウジング５にカバー９を組付けることにより、ガタ詰めバネ１１とガタ詰めリブ１３とが当接し、端子７を端子収容室３の正規位置に配置させることができ、端子７の中途挿入を防止することができる。
【００７１】
さらに、カバー９は、ハウジング５にヒンジ１７を介して一体に設けられているので、ハウジング５とカバー９とを一体に取り扱うことができ、部品点数を低減することができる。
【００７２】
なお、本発明の実施の形態に係るコネクタでは、係止部が端子収容室に撓み可能に設けられた係止ランスとなっているが、これに限らず、例えば、係止部が端子収容室に挿入されるスペーサなどであってもよく、端子収容室の正規位置で端子を係止できるものであれば、係止部はどのようなものであってもよい。
【符号の説明】
【００７３】
１…コネクタ
３…端子収容室
５…ハウジング
７…端子
９…カバー
１１…ガタ詰めバネ
１３…ガタ詰めリブ
１５…係止部
１７…ヒンジ
【図１】
2019053841.tif 000003
【図２】
2019053841.tif 000004
【図３】
2019053841.tif 000005
【図４】
2019053841.tif 000006
【図５】
2019053841.tif 000007
【図６】
2019053841.tif 000008
【図７】
2019053841.tif 000009
【図８】
2019053841.tif 000010